(57)【要約】【課題】交差する複数の回転軸線回りに回転される回転体の回転駆動を簡単な構成により実現させた遊技機の回転表示装置を得る。【解決手段】回転体１２０を回転体軸１１６に軸線Ｈ回りに回転可能に支持し、回転体軸１１６はステッピングモータ１６により軸線Ｈと交差する軸線Ｖ回りに回転駆動される回転体支持部材９４に取り付ける。回転体１２０の側端部には軸線Ｈと同軸的にマイタギヤ１２８を取り付け、このマイタギヤ１２８は回転体支持部材９４に軸線Ｖと平行な軸線上に設けられたマイタギヤ１１４に噛み合わせることで、回転体支持部材９４の回転による回転体１２０の軸線Ｖ回りの回転に伴い、マイタギヤ１１４を介してマイタギヤ１２８を回転させ回転体１２０を軸線Ｈ回りに回転させる。【選択図】        図７
2004147776.tif 000002
【特許請求の範囲】
【請求項１】
表示情報が設けられ交差する複数の回転軸線回りに回転可能な回転体と、
前記回転体を回転駆動するための駆動手段と、
前記駆動手段により前記回転体が前記複数の回転軸線の何れかの回転軸線回りに回転される回転力を他の回転軸線回りに回転させる回転力に変換して回転体に伝達する伝動手段と、
を有することを特徴とする遊技機の回転表示装置。
【請求項２】
表示情報が設けられた回転体と、
前記回転体を第１回転軸線回りに回転可能に支持する第１支持手段と、
前記第１支持手段を前記第１回転軸線と交差する第２回転軸線回りに回転可能に支持する第２支持手段と、
前記第２支持手段を前記第２回転軸線回りに回転させる駆動手段と、
前記回転体に前記第１回転軸線と同軸的に取り付けられた第１歯車と、前記第２回転軸線と同軸的又は平行な軸線上に設けられ前記第１歯車と噛合されて第１歯車を介して前記回転体を前記第１回転軸線回りに回転させる第２歯車と、を含む回転機構手段と、
を有することを特徴とする遊技機の回転表示装置。
【請求項３】
表示情報が設けられた回転体と、
前記回転体を回転軸線回りに回転可能に支持する支持手段と、
前記回転体の内部に設けられ回転体を内側から照明する照明手段と、
前記支持手段を貫通して前記回転体の内部へ引き込まれ前記照明手段と電気的に接続された接続配線と、
を有することを特徴とする遊技機の回転表示装置。
【請求項４】
表示情報が設けられた回転体と、
前記回転体を第１回転軸線回りに回転可能に支持する第１支持手段と、
前記第１支持手段を前記第１回転軸線と交差する第２回転軸線回りに回転可能に支持する第２支持手段と、
前記第２支持手段を前記第２回転軸線回りに回転させる駆動手段と、
前記回転体に前記第１回転軸線と同軸的に取り付けられた第１歯車と、前記第２回転軸線と同軸的又は平行な軸線上に設けられ前記第１歯車と噛合されて第１歯車を介して前記回転体を前記第１回転軸線回りに回転させる第２歯車と、を含む回転機構手段と、
前記回転体の内部に設けられ、回転体を内側から照明する照明手段と、
前記第１支持手段を貫通して前記回転体の内部へ引き込まれその引き込まれた一端が前記照明手段と電気的に接続された接続配線と、
前記第２回転軸線と同軸的に設けられ第２回転軸線回りに摺動しながら互いに相対回転可能とされた対となる摺動部材を備え、その対となる摺接部材の一方に前記接続配線の他端が電気的に接続された電気的接続手段と、
を有することを特徴とする遊技機の回転表示装置。
【請求項５】
前記支持手段は固定軸を備え、その固定軸に前記照明手段が取り付けられその取付部は固定軸の軸心から後方へオフセットされていることを特徴とする請求項３記載の遊技機の回転表示装置。
【請求項６】
前記照明手段は複数の光源を備え、その複数の光源は前記回転体の周面と同心円状に配置されていることを特徴とする請求項３記載の遊技機の回転表示装置。
【発明の詳細な説明】
【０００１】
【発明の属する技術分野】
本発明は遊技機の回転表示装置に係り、詳しくは、抽選図柄等の表示情報が設けられた回転体に照明による演出効果を加えた遊技機の回転表示装置に関する。
【０００２】
【従来の技術】
パチンコ機やパチスロ機等の遊技機では、抽選時の図柄や各種情報を表示するため、あるいは視覚的な演出効果を高めるためなどに、表示情報を設けた球体を回転させて表示する回転式の表示装置（以下、「回転表示装置」という）を搭載した機種がある。
【０００３】
この球体を回転表示器（回転体）として用いた回転表示装置には、球体が交差する２つの軸線回りにそれぞれ独立して回転されるものがある。その場合、球体を一方の回転軸線回りに回転させるための駆動源（モータ）を球体内に配置したものがあり、さらに、球体表面に設けた抽選図柄等を照明するための発光部（ランプ）も球体内に備えて球体を支持する固定軸上に配設している。また、発光部に接続される電力供給用のリード線を外部電源等から球体内へ引き込むため、固定軸を中空としてリード線を固定軸内へ挿通させている（例えば、特許文献１参照）。
【０００４】
【特許文献１】
特許第２８８３８５２号  （第４〜５頁、第８頁、第２図、第２１図）
【０００５】
【発明が解決しようとする課題】
しかしながら、上述した特許文献１等に示される従来例では、球体を２軸で回転させるための駆動源及び回転機構が回転方向毎に個別に設けられ各々独立しているため、球体を２軸回転させて、例えば１軸回転による図柄表示とは異なる複雑な動きを得るには、２つの駆動源を同時に駆動させなければならず制御や機構が複雑となる。
【０００６】
また、球体内に設けた駆動源が球体の図柄表示部位と重なる軸線上に配置されることで、球体内に設ける発光部をその図柄表示部位と重なる軸線上、すなわち、図柄表示部位の真後ろに配置することができず、さらに、発光部からの照明光は駆動源に遮られてしまうため、遊技者が最も注目する表示情報を十分に照明できない問題がある。また、発光部が固定軸上に配置され球体表面の表示情報までの距離が短くされているため、光照射範囲の狭いＬＥＤ等では表示情報全体を均等に照明することができない。
【０００７】
また、発光部へ接続される電力供給用のリード線については、球体内（固定軸）から出された引き出し側が球体の回転に伴いねじれたり絡み合う問題がある。さらに、リード線を中空の固定軸内に通すことで固定軸径は大きくり、そのため装置が大型化されてしまう。
【０００８】
本発明は上記事実を考慮して、交差する複数の回転軸線回りに回転される回転体の回転駆動を簡単な構成により実現させ、また、回転体に設けられた表示情報の照明を良好にするとともに照明用発光部の接続配線のねじれなどを防ぎ、さらに装置全体を小型化することができる遊技機の回転表示装置を提供することを課題とする。
【０００９】
【課題を解決するための手段】
上記目的を達成するために請求項１に記載の発明は、表示情報が設けられ交差する複数の回転軸線回りに回転可能な回転体と、前記回転体を回転駆動するための駆動手段と、前記駆動手段により前記回転体が前記複数の回転軸線の何れかの回転軸線回りに回転される回転力を他の回転軸線回りに回転させる回転力に変換して回転体に伝達する伝動手段と、を有することを特徴としている。
【００１０】
請求項１に記載の発明では、図柄等の表示情報が設けられた回転体が、駆動手段によって交差する複数の回転軸線の何れかの回転軸線回りに回転されると、その回転力は、伝動手段により回転体を他の回転軸線回りに回転させる回転力に変換されて回転体に伝達される。これにより、回転体は複数の回転軸線回りに回転駆動される。このように、駆動源を一つとした簡単な構成により、回転体の複数の回転軸線回りに回転駆動が実現される。
【００１１】
請求項２に記載の発明は、表示情報が設けられた回転体と、前記回転体を第１回転軸線回りに回転可能に支持する第１支持手段と、前記第１支持手段を前記第１回転軸線と交差する第２回転軸線回りに回転可能に支持する第２支持手段と、前記第２支持手段を前記第２回転軸線回りに回転させる駆動手段と、前記回転体に前記第１回転軸線と同軸的に取り付けられた第１歯車と、前記第２回転軸線と同軸的又は平行な軸線上に設けられ前記第１歯車と噛合されて第１歯車を介して前記回転体を前記第１回転軸線回りに回転させる第２歯車と、を含む回転機構手段と、を有することを特徴としている。
【００１２】
請求項２に記載の発明では、図柄等の表示情報が設けられた回転体は、第１支持手段に支持されて第１回転軸線回りに回転可能とされ、且つ、第１支持手段が第２支持手段に支持され第１回転軸線と交差する第２回転軸線回りに回転可能とされることで、回転体自体も第１回転軸線と交差する第２回転軸線回りに回転可能とされる。ここで、モータ等の駆動手段が駆動し、第２支持手段が第２回転軸線回りに回転すると、それに伴い回転体は第２回転軸線回りに回転する。また、回転体に第１回転軸線と同軸的に取り付けられた回転機構手段の一方の第１歯車は、第２回転軸線と同軸的又は平行に設けられた回転機構手段の他方の第２歯車に噛合されているため、回転体が上記第２回転軸線回りに回転すると、それに伴い、第１回転軸線回りにも回転する。これにより、駆動源を一つとした簡単な構成により、回転体の２つの軸線回りの回転駆動が実現される。
【００１３】
また、回転体内に駆動源を設ける必要がないため、回転体を内側から照明するための照明手段については、回転体内での配置自由度が高くなる。さらに、照明光が駆動源等に遮られることもないため、回転体に設けた表示情報の照明が良好になる。
【００１４】
請求項３に記載の発明は、表示情報が設けられた回転体と、前記回転体を回転軸線回りに回転可能に支持する支持手段と、前記回転体の内部に設けられ回転体を内側から照明する照明手段と、前記支持手段を貫通して前記回転体の内部へ引き込まれ前記照明手段と電気的に接続された接続配線と、を有することを特徴としている。
【００１５】
請求項３に記載の発明では、表示情報を設けた回転体が支持手段に支持されて回転軸線回りに回転可能とされ、回転体の内部に設けられた照明手段へ電気的に接続される接続配線は、支持手段を貫通して回転体の内部へ引き込まれる。照明手段は、この接続配線を介し電力が供給されて発光し、回転体を内側から照明する。
【００１６】
このように、照明手段への接続配線を支持手段を貫通して回転体の内部へ引き込むことにより、回転体の固定軸を中空とする必要がなくなり、固定軸径を小さくして装置全体を小型化することができる。
【００１７】
請求項４に記載の発明は、表示情報が設けられた回転体と、前記回転体を第１回転軸線回りに回転可能に支持する第１支持手段と、前記第１支持手段を前記第１回転軸線と交差する第２回転軸線回りに回転可能に支持する第２支持手段と、前記第２支持手段を前記第２回転軸線回りに回転させる駆動手段と、前記回転体に前記第１回転軸線と同軸的に取り付けられた第１歯車と、前記第２回転軸線と同軸的又は平行な軸線上に設けられ前記第１歯車と噛合されて第１歯車を介して前記回転体を前記第１回転軸線回りに回転させる第２歯車と、を含む回転機構手段と、前記回転体の内部に設けられ、回転体を内側から照明する照明手段と、前記第１支持手段を貫通して前記回転体の内部へ引き込まれその引き込まれた一端が前記照明手段と電気的に接続された接続配線と、前記第２回転軸線と同軸的に設けられ第２回転軸線回りに摺動しながら互いに相対回転可能とされた対となる摺動部材を備え、その対となる摺接部材の一方に前記接続配線の他端が電気的に接続された電気的接続手段と、を有することを特徴としている。
【００１８】
請求項４に記載の発明では、第１回転軸線回り及び第１回転軸線と交差する第２回転軸線回りにそれぞれ回転可能とされた回転体は、回転体を内側から照明する照明手段を回転体内部に備え、照明手段には、第１支持手段を貫通して外部から回転体の内部へ引き込まれた接続配線の一端が電気的に接続される。また、回転体の外部へ引き出された接続配線の他端は、電気的接続手段に設けられた対となる摺動部材の一方に電気的に接続される。
【００１９】
この電気的接続手段が備える対となる摺動部材は、第２回転軸線回りに摺動しながら互いに相対回転可能であるため、回転体が第２回転軸線回りに回転する場合でも、例えば、電源側に接続された他方の摺動部材から一方の摺動部材への送電が可能である。これにより、一方の摺動部材から接続配線を介して照明手段に電力を供給し照明手段を発光させることができる。
【００２０】
このような電気的接続手段を用いることにより、回転体の第２回転軸線回りの回転では、回転体の外部へ引き出された接続配線の他端側は回転体とともに回転できるようになり、したがって、接続配線のねじれなどが防がれる。
【００２１】
請求項５に記載の発明は、請求項３記載の遊技機の回転表示装置において、前記支持手段は固定軸を備え、その固定軸に前記照明手段が取り付けられその取付部は固定軸の軸心から後方へオフセットされていることを特徴としている。
【００２２】
請求項５に記載の発明では、照明手段が取り付けられる固定軸の取付部を固定軸の軸心から後方へオフセットすることで、照明手段からの光による照明範囲が拡大される。これにより、例えば、光照射角度の狭いＬＥＤ等を照明手段に用いることができて、照明手段の選択自由度が高まる。
【００２３】
請求項６に記載の発明は、請求項３記載の遊技機の回転表示装置において、前記照明手段は複数の光源を備え、その複数の光源は前記回転体の周面と同心円状に配置されていることを特徴としている。
【００２４】
請求項６に記載の発明では、照明手段が備える複数の光源を、回転体の周面と同心円状に配置することにより、各光源からの光により照明されるそれぞれの照明範囲や明るさをほぼ同じにすることができる。これにより、回転体の表示部位（表示情報）をほぼ均一に照明することができる。
【００２５】
【発明の実施の形態】
以下、図面を参照して本発明の実施の形態を説明する。なお、以下の実施形態では、パチンコ機等に搭載されて遊技に関する図柄を表示する球体式の回転表示装置を例に説明する。
【００２６】
［第１の実施形態］
図１〜図８には、本発明の第１の実施形態に係る回転表示装置が示されている。また、図９〜図１１には、その回転表示装置に組み込まれた各種部材が示されている。
【００２７】
図１〜図８に示されるように、回転表示装置１０は装置本体を構成するベース１２を備えている。図１及び図３に示されるように、ベース１２は正面視八角形の箱状とされ、正面側に向けられた奥壁面１２Ａの略中央部に円形の開口１４が形成されている。この開口１４の後側（ベース１２の後面１２Ｂ）にはステッピングモータ１６が配置されている。
【００２８】
ステッピングモータ１６は薄型の円盤状で、モータハウジング１７の前面にモータ軸１８と同軸的に円形の凸段部１９が設けられている。図７及び図８に示されるように、ステッピングモータ１６は、モータハウジング１７の凸段部１９がベース１２の開口１４に嵌め入れられることで、モータ軸１８が開口１４の中心を前後方向に通る軸線Ｖ上に位置決めされ、図示しないネジによりベース１２の後面１２Ｂに取り付けられている。
【００２９】
モータ軸１８は筒状とされて、モータハウジング１７に一対のベアリング２０を介して回転可能に取り付けられており、空洞部２１の後端側にはスリップリング２２が嵌挿されている。
【００３０】
図９に示されるように、スリップリング２２は略円柱形とされた樹脂（絶縁材料）製のケース２８を備えている。ケース２８には、図示しないベアリングを介して回転軸３０が回転可能に取り付けられている。回転軸３０は中空とされ、ケース２８内に収容された収容端側には２極の集電環３２が固着されている。集電環３２の各極には、２本のリード線３４がそれぞれ電気的に接続されており、それらリード線３４は、回転軸３０内を挿通されて回転軸３０の先端から外部へ引き出され、その引き出し側先端は、図示しない表示装置制御基板の照明用電源回路に接続されている。
【００３１】
また、ケース２８の内周面には、２個（２極）のブラシ３６が固着されている。各ブラシ３６の先端部は、集電環３２の対応する各極外周面にそれぞれ圧接しており、集電環３２との相対回転時には摺動するようになっている。
【００３２】
ケース２８の外周面には基板３８が固着されている。基板３８には２本のリード線４０が接続されており、各リード線４０は基板３８を介して対応するブラシ３６にそれぞれ電気的に接続されている。なお、リード線４０の接続端側は基板３８に接着・固定されており、外力等が加わっても断線しないよう処理されている。
【００３３】
このような構成からなるスリップリング２２は、ケース２８がモータ軸１８の空洞部２１に嵌め入れられ回転軸３０が軸線Ｖと同軸的に配置されて、モータ軸１８に取り付けられている。また、ステッピングモータ１６の後面には、中心部に円形の貫通孔２４が形成された固定円板２６が取り付けられており、ケース２８の端面から後方へ突出されたステッピングモータ１６の回転軸３０は、先端部が貫通孔２４に嵌め入れられて回転不能とされている。これにより、スリップリング２２はモータ軸１８の回転に伴いケース２８側が軸線Ｖ回りに回転し、その際にはブラシ３６と集電環３２とが相対回転して摺動する。
【００３４】
図３に示されるように、ベース１２の奥壁面１２Ａには、開口１４と同心に開口１４よりも少し大径の周リブ４２が設けられており、この周リブ４２にはリングギヤ・ユニット４４が組み付けられるようになっている。
【００３５】
リングギヤ・ユニット４４は、周リブ４２の外径よりも内径が大きくされたリングギヤ５０と、リングギヤ５０とほぼ同じ大きさのリング状とされてリングギヤ５０の後面に図示しないネジにより取り付けられる回転位置検出板５２と、リングギヤ５０と回転位置検出板５２との間に配置されてリングギヤ５０及び回転位置検出板５２に一体化されるベアリング５４とにより構成されている。
【００３６】
リングギヤ５０は、リング本体の外周面と、前面内周縁部に突設された周リブの外周面とにそれぞれギヤ部４６、４８が形成されており、図７及び図８に示されるように、後面には軸心と同軸的に円形の凹段部５６が形成されている。この凹段部５６にはベアリング５４のアウターレース５８が内挿されており、インナーレース６０についてはベース１２の周リブ４２に外挿されている。また、周リブ４２内には、フランジ６２を備えるリング状のベアリング押さえ６４が前方から嵌め入れられてネジ止め固定されている。このベアリング押さえ６４のフランジ６２がベアリング５４のインナーレース６０前面に接してベアリング５４の周リブ４２からの抜け止めがなされ、ベアリング５４を含むリングギヤ・ユニット４４がベース１２の周リブ４２に取り付けられている。またこれにより、リングギヤ５０と回転位置検出板５２とがベアリング５４を介して共に軸線Ｖ回りに回転自在とされる。
【００３７】
図３に示されるように、ベース１２の奥壁面１２Ａ右側端部には円形の開口６６が形成されており、開口６６の後側にはステッピングモータ６８が配置されている。このステッピングモータ６８は箱型とされ、モータハウジング６９の前面にモータ軸７０と同軸的に円形の凸段部７２が設けられている。図７及び図８に示されるように、ステッピングモータ６８は、モータハウジング６９の凸段部７２がベース１２の開口６６に嵌め入れられることで、モータ軸７０が開口６６の中心に位置決めされ、図示しないネジによりベース１２の後面１２Ｂに取り付けられている。また、モータ軸７０の先端部には駆動ギヤ７４が固着されている。なお、このステッピングモータ６８と前述したステッピングモータ１６とは、表示装置制御基板のモータ制御回路にそれぞれ接続されて、モータ制御回路から送られる各制御信号により個別に回転駆動されるようになっている。
【００３８】
また、開口６６の左側にはベース１２の奥壁面１２Ａからボス７６が突設されており、このボス７６には中継ギヤ７８が取り付けられている。中継ギヤ７８の軸心部には段つき孔８０が形成されており、段つき孔８０の前後縁部に設けられた段部には一対のベアリング８２が内挿されている。中継ギヤ７８は、このベアリング８２を介してボス７６に回転自在に取り付けられており、ギヤ部右側は駆動ギヤ７４と噛み合わせられ、ギヤ部左側はリングギヤ５０のギヤ部４６と噛み合わせられている。これにより、ステッピングモータ６８が駆動されると、モータ軸７０とともに駆動ギヤ７４が回転し、中継ギヤ７８を介してリングギヤ５０が軸線Ｖ回りに回転される。
【００３９】
一方、ベース１２の奥壁面１２Ａ左側端部には矩形の開口８４が形成されている。この開口８４には、表示装置制御基板と電気的に接続された透過型のフォトセンサ８６が取り付けられている。フォトセンサ８６は、コ字型の投受光部８８が開口８４を後側から貫通して奥壁面１２Ａ側へ突出され、回転位置検出板５２の外周縁に設けられた周リブ９０に入り込んでいる。他方、周リブ９０には、周方向に沿って所定の間隔で配置された複数のスリット９２が形成されている（図３参照）。これにより、リングギヤ５０の回転時には、回転位置検出板５２のスリット９２が投受光部８８を通過する際にフォトセンサ８６に検出され、表示装置制御基板モータ制御回路は、その検出情報と表示制御プログラム等に基づいてステッピングモータ６８の制御信号を生成する。
【００４０】
また、ステッピングモータ１６のモータ軸１８には、回転体支持部材９４が取り付けられている。図３に示されるように、回転体支持部材９４は略半球形の器状とされており、開口部９５を正面側とし半球形の頂部となる後端部がリングギヤ・ユニット４４及びベース１２の開口１４内に収められモータ軸１８先端面にネジ止め固定されて、ステッピングモータ１６により直接軸線Ｖ回りに回転されるようになっている。また、回転体支持部材９４の前端部近傍には、周方向に沿って外側へ突出されたフランジ９６が一体的に設けられてリングギヤ・ユニット４４の前方に位置しており、フランジ９６にはスリット９８が形成されている。
【００４１】
一方、ベース１２の左側面１２Ｃの前縁部には、矩形の切り欠き１００が形成されている。この切り欠き１００には、フォトセンサ８６と同じく表示装置制御基板と電気的に接続された透過型のフォトセンサ１０２が取り付けられている。フォトセンサ１０２に設けられたコ字型の投受光部１０４は、右側（ベース１２内側）へ向けられ切り欠き１００に嵌め込まれて回転体支持部材９４のフランジ９６に入り込んでいる。これにより、回転体支持部材９４の回転時には、スリット９８が投受光部１０４を通過する際にフォトセンサ１０２に検出され、表示装置制御基板モータ制御回路は、その検出情報と表示制御プログラム等に基づいてステッピングモータ１６の制御信号を生成する。
【００４２】
また、回転体支持部材９４のフランジ９６基端部（図７では回転体支持部材９４の回転位置により右側に位置している）には、軸線Ｖと平行な向きに段つき孔１０６が形成されている。段つき孔１０６の前後縁部に設けられた段部には一対のベアリング１０８が内挿されており、この一対のベアリング１０８には軸１１０が嵌挿されて回転自在に取り付けられている。
【００４３】
軸１１０の後端部には、スパーギヤ（平歯車）１１２が固着されて、スパーギヤ１１２のギヤ部はリングギヤ５０のギヤ部４８に噛み合わせられており、軸１１０の前端部にはマイタギヤ（かさ歯車）１１４が固着されている。これにより、リングギヤ５０と回転体支持部材９４とが軸線Ｖ回りに相対回転されると、その相対回転に伴い、リングギヤ５０のギヤ部４８に噛み合っているスパーギヤ１１２が回転して軸１１０を介しマイタギヤ１１４が回転される。
【００４４】
さらに、回転体支持部材９４の前面側には、軸線Ｖと直交する軸線Ｈと同軸的に回転体軸１１６が配置されている。回転体支持部材９４のフランジ９６基端部前面には、開口部９５の径方向で対向する２組のボス１１７Ｒ、１１７Ｌが突設されており、回転体軸１１６は、この２組のボス１１７Ｒ、１１７Ｌに取り付けられた一対の軸受け１１８Ｒ、１１８Ｌに両端部が支持されて、回転体支持部材９４に固定的に取り付けられている。また、回転体軸１１６には、図１に示すような球状の回転体１２０が取り付けられている。
【００４５】
回転体１２０は、球体を構成する中空の本体１２２を備えている。本体１２２は、透明又は乳白色等の半透明の光透過性を有する樹脂材料で形成されており、図３に示されるように、回転体軸１１６（軸線Ｈ）を挟んで２分割される構造となっている。この回転体１２０の表面には、複数の図柄１２３が印刷又はラベル等によって設けられており（図７参照）、それら複数の図柄１２３は、軸線Ｈ回りの周方向（図１の矢印Ａ方向）に所定の間隔で配列されている。なお、図１では、回転体１２０の表面に設けられた図柄１２３を二点鎖線による帯状の領域で示している。
【００４６】
また、本体１２２の左右側端部には、側板１２４Ｒ、１２４Ｌがそれぞれ取り付けられている。図７に示されるように、側板１２４Ｒ、１２４Ｌの軸心部には貫通孔１２６Ｒ、１２６Ｌがそれぞれ形成されており、この貫通孔１２６Ｒ、１２６Ｌを通して回転体軸１１６が回転体１２０内に挿通されている。
【００４７】
側板１２４Ｒの外側面軸心部には、マイタギヤ１２８が軸線Ｈと同軸的に配置されて固着されている。マイタギヤ１２８の軸心部には段付き孔１３０が形成されており、この段付き孔１３０と側板１２４Ｒの貫通孔１２６Ｒとには一対のベアリング１３２が内挿され、一対のベアリング１３２の間には回転体軸１１６に外挿されたスリーブ１３４が配置されている。この一対のベアリング１３２を介して回転体１２０の右側端部は、すなわち、側板１２４Ｒ及びマイタギヤ１２８は、回転体軸１１６に回転自在に軸支されている。また、マイタギヤ１２８は回転体支持部材９４に設けられたマイタギヤ１１４に噛み合わせられている。
【００４８】
一方、回転体１２０の左側端部には、円盤状の回転体支持部材１３６が配置されている。図１０に示されるように、回転体支持部材１３６は外周縁部に略Ｖ字形の切り欠き１３８が形成されており、軸心部には断面Ｄ字形の貫通孔１４０が形成されている。他方、図７に示されるように、回転体軸１１６の左側には、軸外周部を一部平面状に切除して形成された段部１３９が１箇所設けらており、本実施の形態では、段部１３９は回転体軸１１６の前側（図７では下側）に位置している。
【００４９】
回転体支持部材１３６は、この回転体軸１１６の左側に、切り欠き１３８を後側に配置した向きで貫通孔１４０が挿通され取り付けられている。また、その取付状態では、回転体支持部材１３６は側板１２４Ｌの貫通孔１２６Ｌ内に配置されるとともに、断面Ｄ字形の貫通孔１４０が回転体軸１１６の段部１３９に係合して回転不能とされている。
【００５０】
この回転体支持部材１３６と側板１２４Ｌの貫通孔１２６との間には、ベアリング１４２が嵌め入れられている。さらに、回転体１２０の左側面部となる回転体支持部材１３６の外側面及び側板１２４Ｌの外側面には、ベアリング押さえ板１４４及び２個のベアリング押さえ補助板１４６がそれぞれ取り付けられている。
【００５１】
図１１に示されるように、ベアリング押さえ板１４４の外周縁部には、回転体支持部材１３６の切り欠き１３８と同形状の略Ｖ字形の切り欠き１４８が形成されており、軸心部には断面Ｄ字形の貫通孔１５０が形成されている。このベアリング押さえ板１４４も、切り欠き１４８を後側に配置した向きで貫通孔１５０が回転体軸１１６の左側に挿通され、貫通孔１５０を回転体軸１１６の段部１３９に係合させることで回転体軸１１６に回転不能に取り付けられている。
【００５２】
このように、回転体支持部材１３６とベアリング押さえ板１４４とは、回転体軸１１６に対する回転方向での取り付け向きが一義的に決まるようになっておりこれにより、図６及び図８に示されるように、回転体支持部材１３６の切り欠き１３８とベアリング押さえ板１４４の切り欠き１４８とは回転体軸１１６の後側に定められて重なり合い、これら切り欠き１３８、１４８によって、回転体１２０の左側端部には回転体１２０の内部と外部を繋ぐ貫通孔が形成されている。
【００５３】
なお、本実施の形態では、回転体軸１１６に形成する段部１３９を１箇所のみとした場合で説明したが、段部の数はこれに限定されるものではない。回転体軸１１６に対し回転体支持部材１３６及びベアリング押さえ板１４４が一義的に位置決め可能であれば、例えば、回転体軸１１６の周方向に段部を複数箇所形成するなどしてもよい。
【００５４】
また、ベアリング１４２は、ベアリング押さえ板１４４と２個のベアリング押さえ補助板１４６とによって回転体支持部材１３６の貫通孔１２６Ｌ内からの抜け止めがなされており、これにより、回転体１２０の左側端部は、すなわち側板１２４Ｌは、回転体支持部材１３６及びベアリング１４２を介して回転体軸１１６に回転自在に軸支されている。
【００５５】
したがって、回転体軸１１６に左右側端部が回転自在に軸支された回転体１２０は、マイタギヤ１１４の回転に伴いマイタギヤ１２８が回転されてＨ軸線回りに回転される。さらに、回転体１２０は回転体軸１１６を介して回転体支持部材９４に取り付けられているため、回転体支持部材９４がＶ軸線回りに回転するのに伴いＶ軸線回りにも回転される。
【００５６】
次に、回転体１２０の内部構造について説明する。図３に示されるように、回転体１２０内に収容された回転体軸１１６の中央部前面側には、軸外周部を一部平面状に切除して形成された照明用光源取付凹部１５２が設けられている。照明用光源取付凹部１５２には、前面に白色や銀色等の光反射率を高めるコーティングが施されたリフレクタ（バックライトカバー）１５４が固着されており、リフレクタ１５４の前面中央にはＬＥＤ基板１５６が取り付けられている（図７及び図８参照）。
【００５７】
図４に示されるように、ＬＥＤ基板１５６の前面中央には、３個のＬＥＤ１５８がほぼ正三角形状に配置されて実装されている。また、図７に示されるように、ＬＥＤ基板１５６の後面には、ＬＥＤ基板１５６の配線パターンにより各ＬＥＤ１５８と電気的に接続されたコネクタ１６０が実装されている。このコネクタ１６０には、前述したスリップリング２２のリード線４０先端に繋がれたコネクタ１６２が接続されている。
【００５８】
スリップリング２２からＬＥＤ基板１５６までのリード線４０の配線経路については、スリップリング２２の基板３８に接続されたリード線４０の基端側は、モータ軸１８の前面に形成された溝部１６４（図３参照）を通されてモータ軸１８の空洞部２１から外部へ引き出され、回転体支持部材９４の外周面に沿わされて前方へ引き回される。そこから、回転体支持部材９４のフランジ９６に形成された貫通孔１６６へ通されてフランジ９６前面側に引き出され、図１及び図４に示されるように、回転体支持部材９４の開口部９５前面縁部に設けられた周リブ１６８と、貫通孔１６６の外側に位置してフランジ９６前面に突設されたガイドリブ１７０との間を通されて回転体１２０の左側端部まで引き回される。さらに、図２及び図７に示されるように、周リブ１６８と２本のボス１１７Ｌとの間を通され、ベアリング押さえ板１４４の切り欠き１４８からベアリング１４２の内側と回転体支持部材１３６の切り欠き１３８との間を通されて回転体１２０の内部に引き込まれている。
【００５９】
なお、このリード線４０の経路途中にコネクタを設けるなどして、回転表示装置１０の組立及びメンテナンス性を向上させるようにしてもよい。
【００６０】
次に、本実施形態の作用について説明する。
【００６１】
まず、回転表示装置１０に装備された回転体１２０の動作について説明する。表示装置制御基板からの制御信号によりステッピングモータ１６が駆動されてモータ軸１８とともに回転体支持部材９４が軸線Ｖ回りに回転すると、回転体支持部材９４に軸支された回転体１２０も回転体支持部材９４と共に軸線Ｖ回り（図１の矢印Ｂ方向）に回転する。このときの回転体１２０を正面から見ると、回転体１２０の表面に設けられている図柄１２３は時計又は反時計回転方向に回転して見える。
【００６２】
また、この回転時に、ステッピングモータ６８の回転が停止されてリングギヤ５０（リングギヤ・ユニット４４）が静止していると、回転体１２０が軸線Ｖ回りに回転するのに伴い、リングギヤ５０のギヤ部４８に噛合されたスパーギヤ１１２が回転して軸１１０を介しマイタギヤ１１４が回転する。さらに、マイタギヤ１１４に噛合されたマイタギヤ１２８が軸線Ｈ回りに回転し、ここで回転方向が変換されて回転体１２０は軸線Ｈ回り（図１の矢印Ａ方向）に回転する。これを正面から見ると、回転体１２０の表面に設けられている図柄１２３は上方向又は下方向にスクロールして見える。そのため、ステッピングモータ１６のみの回転駆動では、図柄１２３が回転と直線移動との組み合わせられた複雑な動きをする。
【００６３】
一方、ステッピングモータ６８が駆動された場合は、モータ軸７０とともに駆動ギヤ７４が回転すると、中継ギヤ７８を介してリングギヤ５０が回転し、ギヤ部４８に噛合されたスパーギヤ１１２が回転して、上述したように、回転体１２０は軸線Ｈ回りに回転する。これにより、回転体１２０を正面から見ると、図柄１２３がスクロールして見える。ただし、軸線Ｈ（回転体軸１１６）は、回転体支持部材９４の回転・停止角度により正面視方向において傾くため、その傾きに応じて図柄１２３のスクロール方向は変化する。
【００６４】
また、図柄１２３のスクロールはこのステッピングモータ６８により制御されるため、上述したステッピングモータ１６の回転駆動による図柄１２３の回転動作時に、ステッピングモータ１６に同期させてステッピングモータ６８を所定方向に所定速度で回転駆動させることにより、図柄１２３をスクロールさせず回転動作のみさせることもできる。
【００６５】
このように、本実施形態の回転表示装置１０では、回転体１２０が回転体軸１１６に軸支されて軸線Ｈ回りに回転・停止可能とされ、さらに回転体軸１１６が回転体支持部材９４に支持されて軸線Ｈと交差する軸線Ｖ回りに回転・停止可能とされているため、それら２つの軸線回りの回転・停止が組み合わせられた複雑な回転動作をし、それに伴う図柄１２３の複数な動きが回転体１２０の正面側（図柄表示部位）を見る遊技者に観察される。そして、複数の図柄１２３のうち、回転体１２０の正面側で停止された所定の図柄１２３が遊技者に視認される。これにより、単純に１つの軸線回りに回転する回転体等に比べて表示態様の視覚的な演出効果が高められる。
【００６６】
ただし、前述したように、本実施形態の回転表示装置１０は、ステッピングモータ１６のみで回転体１２０を２つの軸線回りに回転させる回転機構を備えている。そのため、ステッピングモータ６８とその回転駆動力を伝達する回転機構を省き、リングギヤ５０のギヤ部４８を固定的に設けることで構成を簡素化することができる。例えば、ステッピングモータ６８、中継ギヤ７８、リングギヤ・ユニット４４、及びベアリング押さえ６４を取り除き、代わりに、リングギヤ５０のギヤ部４８をベース１２の奥壁面１２Ａに一体的に設けるなどによっても、ステッピングモータ１６の駆動のみで回転体１２０を軸線Ｈ及び軸線Ｖ回りに回転・停止させることができる。
【００６７】
また、表示図柄の照明については、表示装置制御基板の照明用電源回路からリード線３４に送られる電力は、スリップリング２２を介しリード線４０へ送電されてＬＥＤ基板１５６のＬＥＤ１５８に供給される。これにより、各ＬＥＤ１５８が発光して光が前方へ放射状に照射され、回転体１２０の前面側所定領域が内側から照明される。そして、光透過性材料とされた回転体１２０の本体１２２を透過した光により図柄１２３が照明される。なお、この図柄１２３については、照明されていない場合でも外光により視認することができる。
【００６８】
またここでは、スリップリング２２が備える集電環３２とブラシ３６とは、軸線Ｖ回りに摺動しながら互いに相対回転可能であるため、回転体１２０が軸線Ｖ回りに回転する場合でも、電源側に接続された集電環３２からブラシ３６への送電が可能である。これにより、回転体１２０の軸線Ｖ回りの回転時にも、ＬＥＤ１５８に電力を供給して図柄を照明することができる。
【００６９】
以上説明したように、本実施の形態に係る回転表示装置１０では、ステッピングモータ１６のみの駆動源を一つとした簡単な構成により、回転体１２０の２つの軸線回りの回転駆動が実現される。また、回転体１２０内に駆動源を設ける必要がないため、回転体１２０を内側から照明するためのＬＥＤ１５８の配置自由度が高くなる。さらに、照明光が駆動源等に遮られることもないため、回転体１２０に設けられた図柄１２３の照明も良好になる。
【００７０】
また、本実施の形態では、回転体１２０の内部に設けたＬＥＤ１５８へ電力を供給するため、リード線４０は、ベアリング押さえ板１４４及び回転体支持部材１３６を貫通させて回転体１２０の内部へ引き込んでいる。これにより、回転体の固定軸を中空とすることなく、回転体軸１１６の径寸法を小さくして装置全体を小型化することができる。
【００７１】
また、本実施の形態では、スリップリング２２を用いたことにより、回転体１２０の軸線Ｖ回りの回転では、回転体１２０の外部へ引き出されたリード線４０の基端側（電力供給側）は回転体１２０とともに回転できるようになり、したがって、リード線４０のねじれなどが防がれる。
【００７２】
なお、本実施の形態で説明した、一つの駆動源（ステッピングモータ１６）で回転体１２０の２軸回転駆動を実現させる回転機構手段については、他の構成に置き換え可能である。例えば、回転体１２０のマイタギヤ１２８が噛み合うマイタギヤ１１４をリング状（冠歯車）に構成して軸線Ｖと同軸的に設けるなどしてもよく、またその場合は、スパーギヤ１１２や軸１１０等を省いてより簡単な構成とすることができる。
【００７３】
［第２の実施形態］
次に、本発明の第２の実施形態について説明する。この第２の実施形態は、照明用光源の位置を変更したものであるが、上記第１の実施形態と同一構成については同じ符合を付してその説明を省略する。
【００７４】
図１２に示されるように、第２の実施形態に係る回転表示装置２００では、回転体１２０を支持する回転体軸は分割され回転体１２０内に収容された中央部分が欠落した構造とされている。この回転体軸２０２Ｒ、２０２Ｌは、第１の実施形態と同じく、軸受け１１８Ｒ、１１８Ｌにそれぞれ支持されて軸線Ｈ上に配置されるとともに、回転体支持部材９４の前面側に固定的に取り付けられて回転体１２０を軸線Ｈ回りに回転可能に軸支している。
【００７５】
回転体軸２０２Ｒ、２０２Ｌの対向する各端面には、一対の基板取付板２０４Ｒ、２０４Ｌがそれぞれ固着されて対向配置されている。この一対の基板取付板２０４Ｒ、２０４ＬはＬ型とされ、軸線Ｈよりも後方へ配置された先端側の屈曲部が基板取付部２０６Ｒ、２０６Ｌとなっている。ＬＥＤ基板１５６は、その基板取付部２０６Ｒ、２０６ＬにＬＥＤ１５８実装面を正面側に向けて取り付けられている。
【００７６】
このように、第２の実施形態に係る回転表示装置２００では、回転体軸２０２Ｒ、２０２Ｌに取り付ける照明用光源の取付部（基板取付部２０６Ｒ、２０６Ｌ）を回転体軸１１６の軸心（軸線Ｈ）から後方へオフセットしたことにより、ＬＥＤ１５８が発光すると、図１２の二点鎖線Ｌで示した範囲に光が照射され、照明用光源に同じＬＥＤ１５８を用いた第１の実施形態に比べて、図柄表示部位の照明範囲が拡大される。したがって、光照射角度の狭いＬＥＤ等を用いる場合でも広範囲な照明が可能であり、照明用光源の選択自由度も高まる。
【００７７】
［第３の実施形態］
次に、本発明の第３の実施形態について説明する。この第３の実施形態も、照明用光源についての変形例であり、第１の実施形態と同一構成については同じ符合を付してその説明を省略する。
【００７８】
図１３に示されるように、第３の実施形態に係る回転表示装置３００では、回転体軸１１６の照明用光源取付凹部１５２に取り付けられたリフレクタ３０２が半球形とされている。
【００７９】
このリフレクタ３０２は、光反射面とされた外周面３０２Ａが回転体１２０の内周面１２０Ａと同心円状に配置されており、軸線Ｖが通る中心部に１箇所と、その中心により描かれる同一円周上に９０度間隔で配置された４箇所とに計５個の貫通孔３０４が形成されている（図１４参照）。
【００８０】
リフレクタ３０２の内周面３０２Ｂ基端部側には基板取付部３０６が設けられており、基板取付部３０６にはランプ基板３０８が取り付けられている。このランプ基板３０８の前面には５個のランプ３１０がマウントされており、各ランプ３１０は、リフレクタ３０２の貫通孔３０４にそれぞれ挿入されリフレクタ３０２の外周面３０２Ａ側へ露出されて、回転体１２０の内周面と同心円状に配置されている。
【００８１】
また、ランプ基板３０８の後面には、ランプ基板３０８の配線パターンにより各ランプ３１０と電気的に接続されたコネクタ３１２が実装されており、コネクタ３１２にはリード線４０のコネクタ１６２が接続されている。
【００８２】
以上の構成により、第３の実施形態に係る回転表示装置３００では、リード線４０からランプ基板３０８に電力が供給されて各ランプ３１０が発光すると、図１４に模式的に示したように、各ランプ３１０からの光により回転体１２０が照明されるそれぞれの照明範囲Ｌや明るさがほぼ同じとなる。これにより、回転体１２０の図柄表示部位をほぼ均一に照明することができる。さらに、本実施の形態では、リフレクタ３０２による反射光も加わって、図柄表示部位全体がより均一に照明される。
【００８３】
以上、本発明を上述した特定の実施形態により詳細に説明したが、本発明はそれに限定されるものではなく、本発明の範囲内にて他の種々の実施形態が可能である。
【００８４】
例えば、回転体の回転軸線（軸線Ｖ及び軸線Ｈ）は第１〜第３実施形態のように直交したものに限らず、斜交したものでもよい。また、回転体を３つ以上の回転軸線回りに回転させることも可能であり、その場合は、３つ以上ある回転軸線の何れかの回転軸線回りに回転される回転力を、伝動手段により、他の回転軸線回りの回転力に変換して回転体に伝達することにより、単一駆動源による回転体の３軸以上の回転駆動を実現することができる。また、伝動手段については、ギヤに限らず、例えば、摩擦接触により動力を伝えるローラ等の他の手段を用いることができる。
【００８５】
また、回転体１２０を軸線Ｖ回りに回転可能に支持する回転体支持部材９４については、ステッピングモータ１６のモータ軸１８に取り付けて直接回転駆動するようにしているが、間接的に回転駆動することも可能である。その場合は、例えば、回転体支持部材９４をベース１２に軸線Ｖ回りに回転可能に取り付け、中継ギヤ等を介して回転力を伝達することができる。
【００８６】
また、本発明は、パチンコ機に限らずパチスロ機等の他の遊技機に搭載される回転表示装置にも適用することができる。
【００８７】
【発明の効果】
本発明の遊技機の回転表示装置は上記構成としたので、交差する複数の回転軸線回りに回転される回転体の回転駆動を簡単な構成により実現できる。また、回転体に設けられた表示情報の照明を良好にするとともに照明用発光部の接続配線のねじれなどを防止ぎ、さらに装置全体を小型化することができる。
【図面の簡単な説明】
【図１】本発明の第１の実施形態に係る回転表示装置を示した正面側から見た斜視図である。
【図２】本発明の第１の実施形態に係る回転表示装置の回転体左側部近傍を部分的に示した斜視図である。
【図３】本発明の第１の実施形態に係る回転表示装置を示した分解斜視図である。
【図４】本発明の第１の実施形態に係る回転表示装置を示した正面図である。
【図５】本発明の第１の実施形態に係る回転表示装置を示した平面図である。
【図６】本発明の第１の実施形態に係る回転表示装置を示した左側面図である。
【図７】図４の７−７線断面図である。
【図８】図４の８−８線断面図である。
【図９】本発明の第１の実施形態に係るスリップリングを示した、（Ａ）が正面図、（Ｂ）が一部破断した平面図、（Ｃ）が左側面図、（Ｄ）が右側面図である。
【図１０】本発明の第１の実施形態に係る回転体支持部材を示した、（Ａ）が正面図、（Ｂ）が平面図、（Ｃ）が背面図、（Ｄ）が（Ａ）の１０Ｄ−１０Ｄ線断面図である。
【図１１】本発明の第１の実施形態に係るベアリング押さえ板を示した、（Ａ）が正面図、（Ｂ）が左側面図である。
【図１２】本発明の第２の実施形態に係る回転表示装置を示した水平断面図である。
【図１３】本発明の第３の実施形態に係る回転表示装置を示した水平断面図である。
【図１４】本発明の第３の実施形態に係る回転表示装置を示した正面図である。
【符号の説明】
１０        回転表示装置
１６        ステッピングモータ（駆動手段）
２２        スリップリング（電気的接続手段）
３２        集電環（対となる摺動部材）
３６        ブラシ（対となる摺動部材）
４０        リード線（接続配線）
５０        リングギヤ（伝動手段）
９４        回転体支持部材（第２支持手段）
１１０        軸（伝動手段）
１１２        スパーギヤ（伝動手段）
１１４        マイタギヤ（伝動手段／回転機構手段／第２歯車）
１１６        回転体軸（請求項２及び請求項４の第１支持手段／請求項３の支持手段）
１１８Ｒ、１１８Ｌ        軸受け（請求項２及び請求項４の第１支持手段／請求項３の支持手段）
１２０        回転体
１２０Ａ      内周面（周面）
１２３        図柄（表示情報）
１２８        マイタギヤ（伝動手段／回転機構手段／第１歯車）
１３２        ベアリング（請求項２及び請求項４の第１支持手段／請求項３の支持手段）
１３６        回転体支持部材（請求項２及び請求項４の第１支持手段／請求項３の支持手段）
１４２        ベアリング（請求項２及び請求項４の第１支持手段／請求項３の支持手段）
１４４        ベアリング押さえ板（請求項２及び請求項４の第１支持手段／請求項３の支持手段）
１５６        ＬＥＤ基板（照明手段）
１５８        ＬＥＤ（照明手段）
２００        回転表示装置
２０２Ｒ、２０２Ｌ        回転体軸（固定軸）
２０６Ｒ、２０６Ｌ        基板取付部（取付部）
３００        回転表示装置
３０８        ランプ基板（照明手段）
３１０        ランプ（照明手段／複数の光源）
Ｈ        軸線（請求項１の他の回転軸線／請求項２及び請求項４の第１回転軸線／請求項３の回転軸線）
Ｖ        軸線（請求項１の何れかの回転軸線／第２回転軸線）
【図１】
2004147776.tif 000003
【図２】
2004147776.tif 000004
【図３】
2004147776.tif 000005
【図４】
2004147776.tif 000006
【図５】
2004147776.tif 000007
【図６】
2004147776.tif 000008
【図７】
2004147776.tif 000009
【図８】
2004147776.tif 000010
【図９】
2004147776.tif 000011
【図１０】
2004147776.tif 000012
【図１１】
2004147776.tif 000013
【図１２】
2004147776.tif 000014
【図１３】
2004147776.tif 000015
【図１４】
2004147776.tif 000016